(57)【特許請求の範囲】
【請求項１】
一個のフレーム（１）および一個のファンホイール（２）を有するファンモジュールにおいて、
フレーム（１）にはフレーム（１）の内部と連通する一個の軸方向風入口（１３）、一個の径方向風入口（１４）と少なくとも一個の径方向風出口（１５）が設けられ、
ファンホイール（２）は回動自在にフレーム（１）の内部に設けられ、
ファンホイール（２）には一個の第一導流羽根（２１）、一個の第二導流羽根（２２）と一個の阻流部材（２３）が設けられ、
阻流部材（２３）はフレーム（１）の内部を一個の第一流路（１１）と一個の第二流路（１２）に区隔するのに用いられることにより、第一導流羽根（２１）は第一流路（１１）に位置し、
第二導流羽根（２２）は第二流路（１２）に位置するように形成され、
ファンホイール（２）には一個のハブ（２０）が含まれ、
阻流部材（２３）は一個の阻隔片からなり、
上記阻隔片は一体成形または取外し自在になるようにハブ（２０）の上部の端縁に結合される
ことを特徴とするファンモジュール。
【請求項２】
軸方向風入口（１３）は第一流路（１１）と連通し、径方向風入口（１４）は第二流路（１２）と連通し、少なくとも一個の径方向風出口（１５）は第一流路（１１）および第二流路（１２）と連通するように形成されることを特徴とする請求項１に記載のファンモジュール。
【請求項３】
径方向風出口（１５）は一個からなり、径方向風出口（１５）は同時に第一流路（１１）および第二流路（１２）と連通するように形成されることを特徴とする請求項１に記載のファンモジュール。
【請求項４】
径方向風出口（１５）を二個有し、径方向風出口（１５）はそれぞれ第一流路（１１）および第二流路（１２）と連通するように形成されることを特徴とする請求項１に記載のファンモジュール。
【請求項５】
二個の径方向風出口（１５）は径方向で位置ずれるようにフレーム（１）の側辺に設置されることを特徴とする請求項４に記載のファンモジュール。
【請求項６】
第一導流羽根（２１）はハブ（２０）の側周面にかつ阻流部材（２３）に結合するように設置され、第二導流羽根（２２）は阻流部材（２３）の上部に設置されることを特徴とする請求項１に記載のファンモジュール。
【請求項７】
第一導流羽根（２１）は阻流部材（２３）の底部に設置され、第二導流羽根（２２）は阻流部材（２３）の上部に設置されることを特徴とする請求項１に記載のファンモジュール。
【請求項８】
第一導流羽根（２１）がハブ（２０）に向いている一端とハブ（２０）の側周面の間には隙間を有するように形成されることを特徴とする請求項７に記載のファンモジュール。
【請求項９】
フレーム（１）の内部には一個のモーター駆動ユニット（Ｍ）が設置され、ファンホイール（２）はモーター駆動ユニット（Ｍ）と枢接するように形成されることを特徴とする請求項１、２、３、４または５に記載のファンモジュール。
【請求項１０】
フレーム（１）の内部には一個の基座（１０４）が設置され、基座（１０４）は一個のモーター駆動ユニット（Ｍ）と結合し、モーター駆動ユニット（Ｍ）は第一流路（１１）に位置し、ファンホイール（２）には一個のハブ（２０）が含まれ、ハブ（２０）には一個の回転軸（２０１）が設けられ、回転軸（２０１）はモーター駆動ユニット（Ｍ）に枢接され、かつ第二流路（１２）まで突出して阻流部材（２３）と連接するように形成されることを特徴とする請求項１、２、３、４または５に記載のファンモジュール。
【発明の詳細な説明】
【技術分野】
【０００１】
本発明は、ファンモジュールに関するもので、特に異なる風の進入方向から気流を導入し、さらに気流を有効に隔てることができるファンモジュールに係わるものである。
【背景技術】
【０００２】
従来のファンモジュールとしては、凡そ軸流式ファンモジュールと遠心式または輻流式ファンモジュールの二種類が含まれる。その中で軸流式ファンモジュールは軸方向においてそれぞれ相対する一個の軸方向風入口と一個の軸方向風出口を有し、上記軸方向風入口を経由して気流を導入し、それから上記軸方向風出口を経由して気流を導出することにより、放熱の効果を提供することができる。また、遠心式ファンモジュールでは軸方向において一個の軸方向風入口を有し、さらに半径方向において一個の径方向風出口を有し、上記軸方向風入口を経由して気流を導入し、それから上記径方向風出口を経由して側面方向に気流を導出することにより、同様に放熱の効果を提供することができる。
【０００３】
一般的に、上記従来の軸流式放熱ファンと遠心式放熱ファンを各種の電子製品に応用し、必要な放熱の効果を提供することによって電子製品の使用上の寿命を延ばすことができる。しかし、現在市場によく見られる小型の電子製品（例えば、ノートパソコン、携帯電話またはパーソナルディジタルアシスタントなど）は普遍的に研究開発が超小型化の方向に進められ、さらに各種の電子製品のそれぞれの電子チップの演算処理速度も相対的に高められ、そのために上記従来の軸流式放熱ファンと遠心式放熱ファンでは電子製品の放熱の需要に完全に満足できなくなっている。
【０００４】
また、従来のファンモジュールとしては、例えば、中華民国公告第５１５９３９号の「ノートパソコンの放熱モジュール」（特許文献１を参照）と図１１に掲示されているノートパソコンの放熱モジュールを参照すると、従来のファンモジュール８には一個のファン８１と一個の放熱器８２が含まれる。ファン８１は一個のノートパソコン８３の内に配置され、ファン８１は空気を送るのに用いられる。放熱器８２はファン８１の風の排出口に配置され、ノートパソコン８３の電子チップ８３１と結合するのに用いられ、そしてファン８１と合わせて電子チップ８３１に予定される放熱の功能を提供することができるようにしたものがある。
【０００５】
また、従来の放熱ファンとして、例えば中華民国公告第Ｉ２６４５００号の「空気進入量増加可能な遠心式放熱ファン」（特許文献２を参照）と図１２に掲示されている放熱ファンを参照すると、従来の放熱ファン９には一個の枠座９１、一個のメインファンホイール９２と一個のサブファンホイール９３が含まれる。枠座９１には一個の風入口９１１と一個の風出口９１２が含まれる。メインファンホイール９２は枠座９１の内部に設けられる一個の鼓風式ファンホイールからなり、サブファンホイール９３は風入口９１１に設けられる一個の軸流式ファンホイールからなる。これにより、サブファンホイール９３が運転時において、サブファンホイール９３によって風入口９１１の軸方向の風進入量を増やすことにより、メインファンホイール９２は側方向を経て気流を送出することができるため、全体の放熱効果を高めることができるようにとしたものがある。
【先行技術文献】
【特許文献】
【０００６】
【特許文献１】中華民国公告第５１５９３９号公報
【特許文献２】中華民国公告第Ｉ２６４５００号公報
【発明の概要】
【発明が解決しようとする課題】
【０００７】
上記の図１１に掲示されるような従来のファンモジュールにおいては、一般的に次のような問題点を有している。従来のファンモジュール８を実際に使用すると、ファン８１は外気を導入する目的にしか利用することができず、そしてノートパソコン８３の特定な部位（例えば電子チップ８３１など）に対して放熱を提供することができず、それからノートパソコン８３のその他の予め設置された補助的な風出口を経由して気流を再び外部空間へ導出する。しかし、ファンモジュール８ではファン８１によって予定される一定の方向から気流を導入して放熱作用を提供することができず、要するに異なる方向から気流を導入してノートパソコンの内部でその他に関係する電子部品が作動時に生じる熱気を排出することができず、そのために、ファンモジュール８がノートパソコン８３に対して提供できる放熱効果は相当に限られているという問題点があった。
【０００８】
また、上記の図１２に掲示されるような従来の放熱ファンにおいては、一般的に次のような問題点を有している。従来の放熱ファン９ではサブファンホイール９３によって空気の進入量を増やすことができる。しかし、従来の放熱ファン９ではハブファンホイール９３を利用して軸方向からの気流しか導入することができないため、放熱ファン９を上述したノートパソコン８３などの関係する電子製品に応用する時、依然として二つの異なる方向から同時に気流を導入して放熱を行うことができないという問題点があった。このように、上記のような従来のファンモジュールをさらに改良する必要がある。
【０００９】
本発明はこのような問題点に鑑みて発明されたものであって、その主な目的とするところは、二つの異なる方向から空気を導入して各種の電子製品の応用に提供する場合、外部の空気を導入して放熱を行うとともに、電子製品の内部から生じる熱気流を外部空間へ排出することにより、全体の放熱効果を高めることができるファンモジュールを提供することにある。
【００１０】
本発明の第二の目的は、ファンホイールそのものを利用して二つの異なる方向から導入される気流を隔てることにより、乱流が生じるのを避けることができるファンモジュールを提供することである。
【００１１】
本発明の第三の目的は、阻流作用を回避する方向から気流を導入できる効果を同時に有するファンホイールを設計することにより、ファンモジュールの軸方向の高さを有効に低く抑えることができるファンモジュールを提供することである。
【課題を解決するための手段】
【００１２】
上記目的を達成するために、本発明によるファンモジュールは、一個のフレームおよび一個のファンホイールを有する。フレームにはフレームの内部と連通する一個の軸方向風入口、一個の径方向風入口と少なくとも一個の径方向風出口が設けられる。ファンホイールは回動自在にフレームの内部に設けられる。ファンホイールには一個の第一導流羽根、一個の第二導流羽根と一個の阻流部材が設けられる。阻流部材はフレームの内部を一個の第一流路と一個の第二流路に区隔するのに用いられることにより、第一導流羽根は第一流路に位置し、第二導流羽根は第二流路に位置するように形成される。ファンホイールには一個のハブが含まれる。阻流部材は一個の阻隔片からなり、上記阻隔片は一体成形または取外し自在になるようにハブの上部の端縁に結合される。
【００１３】
また、軸方向風入口は第一流路と連通し、径方向風入口は第二流路と連通し、少なくとも一個の径方向風出口は第一流路および第二流路と連通するように形成されることもできる。また、径方向風出口は一個からなり、径方向風出口は同時に第一流路および第二流路と連通するように形成されることもできる。また、径方向風出口は二個からなり、径方向風出口はそれぞれ第一流路および第二流路と連通するように形成されることもできる。また、二個の径方向風出口は径方向に位置ズレするようにフレームの側辺に設置されることもできる。また、第一導流羽根はハブの側周面にかつ阻流部材に結合するように設置され、第二導流羽根は阻流部材の上部に設置されることもできる。また、第一導流羽根は阻流部材の底部に設置され、第二導流羽根は阻流部材の上部に設置されることもできる。また、第一導流羽根がハブに向いている一端とハブの側周面の間には隙間を有するように形成されることもできる。また、フレームの内部には一個のモーター駆動ユニットが設置され、ファンホイールはモーター駆動ユニットと枢接するように形成されることもできる。また、フレームの内部には一個の基座が設置され、基座は一個のモーター駆動ユニットと結合し、モーター駆動ユニットは第一流路に位置し、ファンホイールには一個のハブが含まれ、ハブには一個の回転軸が設けられ、回転軸はモーター駆動ユニットに枢接され、かつ第二流路まで突出して阻流部材と連接するように形成されることもできる。
【発明の効果】
【００１４】
本発明のファンモジュールによれば、二つの異なる方向から気流を導入して各種の電子製品に応用する場合、外部の空気を導入して放熱を行うとともに、電子製品の内部から生じる熱を外部空間へ排出することにより、全体の放熱効果を高めることができるという利点がある。
【００１５】
本発明のファンモジュールによれば、ファンホイールそのものを利用して二つの異なる方向から導入される気流を隔てることにより、乱流が生じるのを避けることができるという利点がある。
【００１６】
本発明のファンモジュールによれば、阻流を生じる方向と異なる方向から気流を導入できる機能を同時に有するファンホイールを設計することにより、ファンモジュールの軸方向の高さを有効に低く抑えることができるという利点がある。
【図面の簡単な説明】
【００１７】
【図１】図１は、本発明のファンモジュールの構造の説明図である。
【図２】図２は、本発明のファンモジュールが電子製品に応用される状態の説明図である。
【図３】図３は、本発明の実施例１のファンモジュールの分解斜視図である。
【図４】図４は、本発明の実施例１のファンモジュールの組み立てられた状態の断面図である。
【図５】図５は、本発明の実施例２のファンモジュールの分解斜視図である。
【図６】図６は、本発明の実施例２のファンモジュールの組み立てられた状態の断面図である。
【図７】図７は、本発明の実施例３のファンモジュールの分解斜視図である。
【図８】図８は、本発明の実施例３のファンモジュールの組み立てられた状態の断面図である。
【図９】図９は、本発明の実施例４のファンモジュールの分解斜視図である。
【図１０】図１０は、本発明の実施例４のファンモジュールの組み立てられた状態の断面図である。
【図１１】図１１は、従来の第一例のファンモジュールの構造の説明図である。
【図１２】図１２は、従来の第二例の放熱ファンの組み立てられた状態の断面図である。
【発明を実施するための形態】
【００１８】
本発明の好適な実施の形態について、以下、図面を参照して説明する。
【００１９】
図１は本発明のファンモジュールの構造の説明図で、図２は本発明のファンモジュールが電子製品に応用される状態の説明図である。図１を参照すると、本発明のファンモジュールには一個のフレーム１および一個のファンホイール２が含まれる。フレーム１はファンホイール２が組み立てることができる各種のフレームの構造からなる。ファンホイール２はフレーム１の内部に設けられ、ファンホイール２によって異なる方向から気流を導入して予定される放熱の効果を提供することができ、さらにファンホイール２によって二つの異なる方向から導入される気流を隔てることができる。
【００２０】
フレーム１の内部には一個の第一流路１１と一個の第二流路１２が形成される。フレーム１には一個の軸方向風入口１３、一個の径方向風入口１４と少なくとも一個の径方向風出口１５が設けられる（径方向風出口１５は一個または数個からなることができ、例えば図２に示される径方向風出口１５は二個からなる）。その中、軸方向風入口１３は第一流路１１と連通し、径方向風入口１４は第二流路１２と連通し、さらに少なくとも一個の径方向風出口１５は第一流路１１および第二流路１２と連通する。
【００２１】
ファンホイール２は駆動されて回動して気流を導引することができる各種の部材からなることができ、さらにファンホイール２はフレーム１の内部に設置される。その中、ファンホイール２には一個の第一導流羽根２１、一個の第二導流羽根２２と一個の阻流部材２３が設けられる。第一導流羽根２１は第一流路１１に位置し、軸方向風入口１３から空気を第一流路１１まで導引した後、少なくとも一個の径方向風出口１５を経由して再び外気中に導出する。第二導流羽根２２は第二流路１２に位置し、径方向風入口１４から気流を第二流路１２まで導引した後、少なくとも一個の径方向風出口１５を経由して再び外気中に導出する。阻流部材２３は主にフレーム１の内部を第一流路１１と第二流路１２に区隔するのに用いられ、それにより、第一流路１１と第二流路１２はそれぞれ独立した空間に区隔される。
【００２２】
再び図１、２を参照すると、本発明のファンモジュールを実際に使用する時、ファンモジュール１を一個の電子製品３（例えばノートパソコン、携帯電話またはパーソナルデジタルアシスタントなど）に応用することにより、予定される放熱機能を提供することができる。本実施例において、電子製品３には一個の風進入部３１と一個の風排出部３２が含まれ、そして本発明のファンモジュール１は電子製品３の内部に設けられる。その中、フレーム１の径方向風入口１４は風進入部３１と相対するように形成され、軸方向風入口１３は電子製品３の内部に位置するように形成され、そしてその内の一個の径方向風出口１５は電子製品３の内部の各種の電子部品３３に向くように形成され、さらにもう一個の径方向風出口１５は風排出部３２と相対するように形成される。
【００２３】
これにより、ファンホイール２の第二導流羽根２２は径方向風入口１４から外部の空気を導入し、その内の一個の径方向風出口１５を経由して電子部品３３まで導引し、そして電子部品３３を通過した後、その他の輔助風排出孔３４から再び外部空間へ導出することにより、放熱作用を提供することができる。その他に、ファンホイール２の第一導流羽根２１は同時に電子部品３３の作動で生じられる熱気流を軸方向風入口１３からフレーム１の内部に導入し、それからもう一個の径方向風出口１５と風排出部３２を経由して再び外部空間まで導出することができる。
【００２４】
上述した構造設計により、本発明のファンモジュールの主な技術的特徴は、ファンホイール２の第一導流羽根２１を利用して軸方向風入口１３から気流を第一流路１１まで導引した後、少なくとも一個の径方向風出口１５を経由して再び外部へ導出することにより、放熱の作用を行うことができる。さらに、ファンホイール２の第二導流羽根２２は同時に径方向風入口１４から空気を第二流路１２まで導引した後、少なくとも一個の径方向風出口１５を経由して導出することができる構造の設計である。本発明のファンモジュールによれば、二つの異なる方向（すなわち軸方向と径方向）から空気を同時に導入することで、各種の電子製品に応用される時、外部の空気を導入して放熱を行うことができるとともに、電子製品３の内部から生じられる熱気流を導引して外部の空間まで排出することができるため、放熱効果を高めることができる。
【００２５】
さらに重要なことは、ファンホイール２そのものに含まれる阻流部材２３によって第一流路１１と第二流路１２をそれぞれ独立した空間に区隔することができるため、ファンホイール２の第一導流羽根２１と第二導流羽根２２はそれぞれ二つの異なる方向（すなわち軸方向と径方向）から気流を導入し、それから再び少なくとも一個の径方向風出口１５を経由して導出する過程において、阻流部材２３によって二つの異なる方向からくる気流を有効に隔てることにより、二つの気流が少なくとも一個の径方向風出口１５からスムースに導出することができるため、乱流が生じるのを避けることができ、さらに噪音が生じるのを減らし、気流の流動がスムースになるなどの効果を有する。また、ファンホイール２によって同時に阻流の効果と二つの異なる方向から気流を導入するとの効果を有するため、本発明のファンモジュールによれば、その他の部材を利用することなく、上述した効果を達成することができるため、全体的な構造の複雑性を低く抑え、さらに本発明のファンモジュールの全体の軸方向の高さを有効に低く抑えることができる。
【００２６】
また、図２に示される使用方法によれば、フレーム１の径方向風入口１４と風進入部３１は相対するように形成され、さらに軸方向風入口１３は電子製品３の内部に位置するように形成されていても、実際に使用する時には、各種の電子製品３の要求性に応じてフレーム１の軸方向風入口１３と径方向風入口１４を電子製品３のその他の特定の部位に取り付けることにより、同様に二つの異なる方向から気流を導引して放熱の作用を行うことができる。
【００２７】
上述したフレーム１とファンホイール２１の構造的特徴によれば、本発明のファンモジュールでは大体として下記の多種類の異なる実施形態（多種類の好ましい実施形態が掲示されているが、その他の同じ結合の作用を達成できる構造の設計であれば、依然として本発明の実施範囲に含まれるべきである）を区分することができる。
【実施例１】
【００２８】
図３は本発明の実施例１のファンモジュールの分解斜視図で、図４は本発明の実施例１のファンモジュールの組み立てられた状態の断面図である。図３及び４を参照すると、ファンモジュールのフレーム１ａは一個の框体１０１および一個の封止蓋１０２により構成される。その中、図３に示す配置の方向から見て、軸方向風入口１３はフレーム１ａの底部（すなわち框体１０１の底面）に設置され、径方向風入口１４はフレーム１ａの側辺（すなわち框体１０１と封止蓋１０２の間）に設置される。また、実施例１において、フレーム１ａには一個の径方向風出口１５が設けられ、径方向風出口１５はフレーム１ａの側辺（すなわち框体１０１と封止蓋１０２の間）に設置され、そして径方向風出口１５は同時に第一流路１１および第二流路１２と連通する。
【００２９】
ファンモジュールのファンホイール２ａには一個のハブ２０が設けられる。その中に、図３、４に示す配置の方向から見て、阻流部材２３は一個の阻隔片からなる。阻隔片は図示のようにハブ２０の上部の端縁にかつフレーム１ａの外部方向に向いて径方向に延伸するように一体に成形したり、またはハブ２０上部の端縁に取外し自在にしたりすることができる。第一導流羽根２１はハブ２０の側周面にかつ阻流部材２３に結合するように設置され、第二導流羽根２２は阻流部材２３の上部（すなわち封止蓋１０２に向いている片方の側）に設置されることにより、阻流部材２３によって第一流路１１と第二流路１２を区隔した後、第一導流羽根２１と第二導流羽根２２は同時にそれぞれ第一流路１１と第二流路１２に位置するように形成される。これにより、フレーム１ａの内部に一個のモーター駆動ユニットＭを設置することができ、モーター駆動ユニットＭはファンホイール２ａと枢接するのに用いられることにより、モーター駆動ユニットＭによってファンホイール２ａが回動するよう駆動することができる。
【００３０】
本発明の実施例１のファンモジュールを実際に使用する時、ファンホイール２ａの第一導流羽根２１は軸方向風入口１３から気流を導入し、それから径方向で第一流路１１と連通する径方向風出口１５を経由して気流を一個の熱源まで導出することができる。また、ファンホイール２ａの第二導流羽根２２は同時に径方向風入口１４から気流を導入し、それから径方向で第二流路１２と連通する径方向風出口１５を経由して気流をもう一個の熱源まで導出することができる。これにより、本発明の実施例１のファンモジュールを各種の電子製品（その応用の方式は図２に掲示される実施形態とは大体同じであるため、ここでは説明を省略する）に応用することができ、そして確実に二つの異なる方向から気流を導入することができるため、放熱の効果を高めることができる。また、ファンホイール２ａそのものに設けられる阻流部材２３によって同様に第一流路１１と第二流路１２をそれぞれ独立した空間に区隔することにより、乱流が生じるのを避けることができるとともに、全体的な構造の複雑性と軸方向の高さを低く抑えることができる。
【実施例２】
【００３１】
図５は本発明の実施例２のファンモジュールの分解斜視図で、図６は本発明の実施例２のファンモジュールの組み立てられた状態の断面図である。図５及び６を参照すると、ファンモジュールは同様に一個のフレーム１ｂおよび一個のファンホイール２ｂにより構成される。実施例２のファンモジュールと実施例１のファンモジュールの差異は、第一導流羽根２１は阻流部材２３の底部（図５に示す配置の方向から見て）に設置され、そして第一導流羽根２１はハブ２０の側周面に連接されていない。全体的に言えば、第一導流羽根２１がハブ２０に向いている一端とハブ２０の側周面の間には隙間を有するように形成されるため、実施例２のファンモジュールと実施例１のファンモジュールを比較すると、第一ファンホイール２ｂの第一導流羽根２１によって軸方向風入口１３から気流を導入する過程において、乱流が生じるのをさらに有効に防ぐことができるため、全体的な放熱の効果を高めることができる。
【実施例３】
【００３２】
図７は本発明の実施例３のファンモジュールの分解斜視図で、図８は本発明の実施例３のファンモジュールの組み立てられた状態の断面図である。図７及び８を参照すると、ファンモジュールは同様に一個のフレーム１ｃおよび一個のファンホイール２ｃにより構成される。実施例３のファンモジュールと実施例１のファンモジュールの差異は、フレーム１ｃには二個の径方向風出口１５が設けられ、二個の径方向風出口１５はフレーム１ｃの側辺（図式の方式を主とする）に設置され、その中に二個の径方向風出口１５の風の排出方向は径方向において角度を有するように形成される。すなわち二個の径方向風出口１５は径方向で位置ずれるようにフレーム１ｃの側辺に設置される。また、阻流部材２３は一個の阻隔片からなり、阻隔片とハブ２０は互いに取外し自在な構造の設計からなることができる。全体的に言えば、実施例３のファンモジュールと実施例２のファンモジュールを比較すると、実施例３のファンモジュールは取外しが簡単であるため、補修が簡単になるという利点を有する。
【実施例４】
【００３３】
図９は本発明の実施例４のファンモジュールの分解斜視図で、図１０は本発明の実施例４のファンモジュールの組み立てられた状態の断面図である。図９及び１０を参照すると、ファンモジュールは同様に一個のフレーム１ｄおよび一個のファンホイール２ｄにより構成される。実施例４のファンモジュールと実施例１のファンモジュールの差異は、フレーム１ｄの第一流路１１と第二流路１２の位置が異なり、さらにフレーム１ｄは一個の框体１０１、一個の封止蓋１０２と一個の底板１０３により構成される。框体１０１の内部には一個の基座１０４が設置され、基座１０４はモーター駆動ユニットＭが結合するのに用いられる。モーター駆動ユニットＭは第二流路１２に位置するように形成される。その中に、図９に示す配置の方向から見て、軸方向風入口１３はフレーム１ｄの上部（すなわち封止蓋１０２）に設置され、径方向風入口１４と径方向風出口１５は同様に框体１０１の側辺に設置される。また、ファンホイール２ｄのハブ２０には一個の回転軸２０１が設けられ、回転軸２０１はモーター駆動ユニットＭに枢接され、かつ第二流路１２まで突出するように形成される。実施例４において、阻流部材２３は一個の阻隔片からなり、阻隔片は回転軸２０１と結合するのに用いられることにより、モーター駆動ユニットＭによって回転軸２０１を経由してハブ２０が回動するように駆動される時、阻流部材２３は合わせて回動するように連動される。これにより、上述した各種の実施形態と異なる実施形態のファンモジュールの設計を提供することにより、同じ効果を獲得することができる。
【００３４】
上述のように、本発明のファンモジュールによれば、確実に第一導流羽根２１と第二導流羽根２２を利用してそれぞれ軸方向風入口１３と径方向風入口１４などの二つの異なる方向から気流を導入し、それから少なくとも一個の径方向風出口１５を経由して予定される部位まで導出することにより、本発明のファンホイールが各種の電子製品３に応用される時、外部の空気を導入して放熱を行うことができるとともに、電子製品３の内部で生じられる熱気流を導引して外部空間へ排出することができるため、放熱の効果をさらに高めることができる。
【００３５】
また、阻流部材２３の構造の設計によって、さらに第一流路１１と第二流路１２を区隔することにより、阻流部材２３を利用して二つの異なる方向からくる気流を有効に分けることができるため、乱流が生じるのを避けることができ、さらに噪音が生じるのを減らし、気流の流動がスムースになるなどの効果を有する。また、全体的な構造の複雑性と軸方向の高さを低く抑えることができる。
【００３６】
本発明は、その精神及び必須の特徴事項から逸脱することなく他のやり方で実施することができる。従って、本明細書に記載した好ましい実施例は例示的なものであり、限定を意図するものではない。
【符号の説明】
【００３７】
１、１ａ、１ｂ、１ｃ、１ｄ    フレーム
１０１    框体
１０２    封止蓋
１０３    底板
１０４    基座
１１    第一流路
１２    第二流路
１３    軸方向風入口
１４    径方向風入口
１５    径方向風出口
２、２ａ、２ｂ、２ｃ、２ｄ    ファンホイール
２０    ハブ
２０１    回転軸
２１    第一導流羽根
２２    第二導流羽根
２３    阻流部材
３    電子製品
３１    風進入部
３２    風排出部
３３    電子部品
３４    輔助風排出孔
８    ファンモジュール
８１    ファン
８２    放熱器
８３    ノートパソコン
８３１    電子チップ
９    放熱ファン
９１    枠座
９１１    風入口
９１２    風出口
９２    メインファンホイール
９３    サブファンホイール
Ｍ    モーター駆動ユニット
【図１】
0005444291.tif 000002
【図２】
0005444291.tif 000003
【図３】
0005444291.tif 000004
【図４】
0005444291.tif 000005
【図５】
0005444291.tif 000006
【図６】
0005444291.tif 000007
【図７】
0005444291.tif 000008
【図８】
0005444291.tif 000009
【図９】
0005444291.tif 000010
【図１０】
0005444291.tif 000011
【図１１】
0005444291.tif 000012
【図１２】
0005444291.tif 000013